(57)【特許請求の範囲】
【請求項１】
洗浄対象シリンダと平行な軸周りに回転するブラシロールを備えたブラシ型洗浄装置において、
ブラシロール表面の上面部領域と、当該ブラシロールにおける前記洗浄対象シリンダとの接触点の反対側領域とで各々ブラシロールに接し、かつ軸方向に延びた押えプレートを有し、洗浄時は洗浄対象シリンダを含む３部材でブラシロールを支持する構造としたことを特徴とするブラシ型洗浄装置。
【請求項２】
洗浄対象シリンダと平行な軸周りに回転するブラシロールを備えたブラシ型洗浄装置において、
前記洗浄対象シリンダとの接触点と１８０度反対側の前記ブラシロール上の点を挟んで円周方向でほぼ均等距離にある位置で前記ブラシロールの表面に接する複数の押えプレートを有し、この押えプレートはブラシロールの軸方向に延在しており、前記洗浄対象シリンダと前記複数の押えプレートによって前記ブラシロールの周囲を押えて回転振れ止めをなしていることを特徴とするブラシ型洗浄装置。
【発明の詳細な説明】
【技術分野】
【０００１】
本発明はブラシ型洗浄装置に係り、特に洗浄液を含ませたブラシロールを印刷機シリンダの表面に回転接触させて洗浄するためのブラシ型洗浄装置に関する。
【背景技術】
【０００２】
ブラシロールを用いたシリンダ洗浄装置は、ブラシロールを回転させながら汚れたブランケット胴などのシリンダの表面に押し付け、汚れを掻き落とす装置である。通常、印刷用ブランケット胴の表面汚れを洗浄するこの種の装置は、洗浄液をブランケット胴の表面に均一に塗布し、その後ブラシロールで掻き落とすのであるが、洗浄液の供給方法には一般的には次の２つの方法が採られる。すなわち、第１には洗浄装置本体内で噴射ノズルなどによりブラシロールの表面に一旦洗浄液を供給し、回転するブラシロールをブランケット胴表面に押し付けることで洗浄液を転写する方法である。第２には、洗浄装置とは別個に単独で洗浄液を供給する装置を設置し、直接ブランケット胴の表面に洗浄液を供給する方法である。しかし、後者のように、別個に洗浄液供給装置を設けると、設置のスペースを余分に必要とし、また取付工事・メンテナンス時に手間が掛かるなどの問題があることから、通常は前者のように洗浄装置本体内でブラシロール表面に洗浄液を噴射する装置とすることが多い。
【０００３】
同装置は、ブラシロールを収容するハウジング内で洗浄液をブラシに噴射して含浸させ、この洗浄液を含浸したブラシロールにより印刷機シリンダの表面に洗浄液を塗布した後、ブラシロールを回転接触させることによって印刷機シリンダの表面を洗浄する。ブラシロールで掻き取った汚れは、ブランケット胴とは反対側に位置して設けられるスクレーパによって取り除かれるようになっている。すなわち、前記ハウジング内に装備されたスクレーパをブラシロールの表面に食い込ませ、これを通過する際にブラシ繊維によって汚れを弾き飛ばし、常にブラシ表面が清浄になるようにしている。
【０００４】
従来のブラシ型洗浄装置の外観構成を図６に示す。この洗浄装置は、洗浄対象のブランケット胴１に対して、図示していない駆動手段により、接近離反移動できるように駆動される。そして、ブランケット胴１の胴長方向に伸びた逆Ｌ字形断面のサポートビーム２と、このサポートビーム２の下部に配置される廃液皿３とによってブラシハウジングを形成し、当該ハウジング内にブラシロール４を収容した構成となっている。サポートビーム２と廃液皿３の間に形成された窓からブラシロール４の一部を露出させて、ブランケット胴１に回転接触させ、ブラシに含浸させた洗浄液によりブランケット胴１の表面を洗浄するようにしている。
【特許文献１】特開２００６−１５０７５６号公報
【特許文献２】特開２００３−１１３３３号公報
【特許文献３】特開２００２−１６６５２９号公報
【発明の開示】
【発明が解決しようとする課題】
【０００５】
ところで、ブラシロール４は、図７〜図８に示しているように、洗浄対象のブランケット胴１に対して胴下部側に接触するタイプ（図７）と、胴上部側に接触するタイプ（図８）がある。いずれの場合も、ブラシロール４を回転接触させた場合、図示想像線（二点鎖線）で示すように、ブランケット胴１から押し付け反力を受け、ブラシロール４の中央部がブランケット胴１から逃げる方向に撓んでしまう問題があった。これはブラシロール４が新聞印刷の場合で１６４０ｍｍに達し、重量も１５ｋｇ程度になってしまい、自重で撓んでしまうという構造上の問題に起因している。したがって、回転駆動した際、中央部分が膨らんだ回転となってしまう。この結果、図６に網掛け部で示したように、ブラシロール４のニップ幅が、ブランケット胴の端部側で幅広く、中央に至るにしたがって狭くなるような接触状態となり、ニップ幅が軸方向で同じにならない現象が生じる問題があった。このようなニップ幅の変動は、洗浄ムラを発生させる要因となっていた。
【０００６】
本発明は上記従来の問題点に着目し、ブラシロールの回転時にブラシ軸方向に沿った撓みが生じないようにして、常に洗浄対象のブランケット胴に適正に接触させることができるようにしたブラシ型洗浄装置を提供することを目的とする。
【課題を解決するための手段】
【０００７】
上記目的を達成するために、本発明に係るブラシ型洗浄装置は、洗浄対象シリンダと平行な軸周りに回転するブラシロールを備えたブラシ型洗浄装置において、前記ブラシロールに外接してブラシロール回転触れ止めをなす回転撓み防止手段を設けたことを特徴とする。
前記回転撓み防止手段は前記ブラシロールを部分的に包囲する筒体により構成すればよい。
【０００８】
前記回転撓み防止手段は前記ブラシロールの長手方向の少なくとも中央部分に外接するように構成し、あるいは、前記ブラシロールの長手方向に沿った複数箇所にて外接するように構成することができる。
前記筒体は角筒対の一部として形成し、あるいは円筒体の一部として形成するようにできる。
更に、前記筒体はブラシ導入口をブラシ繊維から離間した開口を形成するようにできる。
【０００９】
より具体的には、洗浄対象シリンダと平行な軸周りに回転するブラシロールを備えたブラシ型洗浄装置において、ブラシロールにおける前記洗浄対象シリンダとの接触点の反対側の領域で前記ブラシロールの表面に接しブラシロールの軸方向に延びた押えプレートを有してなることを特徴とする。この場合において、前記押えプレートは複数設けることができる。
【００１０】
また、本発明は、洗浄対象シリンダと平行な軸周りに回転するブラシロールを備えたブラシ型洗浄装置において、ブラシロール表面の上面部領域と、当該ブラシロールにおける前記洗浄対象シリンダとの接触点の反対側領域とで各々ブラシロールに接し、かつ軸方向に延びた押えプレートを有し、洗浄時は洗浄対象シリンダを含む３部材でブラシロールを支持する構造とすることができる。
【００１１】
更に、本発明に係るブラシ型洗浄装置は、洗浄対象シリンダと平行な軸周りに回転するブラシロールを備えたブラシ型洗浄装置において、前記洗浄対象シリンダとの接触点と１８０度反対側の前記ブラシロール上の点を挟んで円周方向でほぼ均等距離にある位置で前記ブラシロールの表面に接する複数の押えプレートを有し、この押えプレートはブラシロールの軸方向に延在しており、前記洗浄対象シリンダと前記複数の押えプレートによって前記ブラシロールの周囲を押えて回転振れ止めをなしている構成としてもよい。
【発明の効果】
【００１２】
上記構成から判るように、本発明では、前記ブラシロールに外接してブラシロール回転触れ止めをなす回転撓み防止手段を設けているので、ブラシロールの回転軸が固定位置を保持するように回転させることができ、洗浄対象シリンダへの接触圧を長手方向で一定に保持させることができる。特に、洗浄装置が洗浄モードに入って回転しつつブランケット胴などの印刷シリンダに接した場合、印刷シリンダ側から押し付け反力があっても、これと反対側領域に少なくともブラシに接する押えプレートが置かれているため、ブラシロールの回転軸が直線保持され、ブラシロールは軸方向で撓むことが抑制される。この結果、ブラシロールが印刷シリンダに接触した場合のニップ幅は、軸方向に均等の幅となり、洗浄ムラの発生要因を取り除くことができる。
【発明を実施するための最良の形態】
【００１３】
以下に、本発明に係るブラシ型洗浄装置の具体的実施の形態を、図面を参照しつつ、詳細に説明する。
図１は実施形態に係るブラシ型洗浄装置の要部斜視図であり、図２は側面断面図を示している。図示のように、このブラシ型洗浄装置１０は、洗浄対象であるブランケット胴１２の胴長方向に沿うブラシロール１４を装備しており、これはロール軸１６の周囲にブラシ繊維１８を植設したものであり、洗浄時にブランケット胴１２に接して汚れを掻き取ることができるようにブラシ繊維１８は所定の剛性を有する繊維を植設して構成されている。新聞印刷機のブランケット洗浄に用いられるブラシロール１４は、例えば、外径６４ｍｍ、長さ１６４０ｍｍ、重量１５ｋｇ程度のサイズとされる。そして、ブラシロール１４は両端から突出するロール軸１６にてサイドプレート（図示せず）に軸受支持され、その一端部に装備されたモータによって回転駆動される。
【００１４】
また、実施形態に係る洗浄装置１０では、ブラシロール１４の上面部と背面部をサポート部材２０によって覆うとともに、下面側に廃液皿２２を配置し、これらによって全体としてブラシロール１４を取り囲むハウジングを構成している。前記サポート部材２０は、ブラシロール１４の背面部側に間隔をおいて配置される断面Ｌ字形状のメインサポートビーム２０Ａと、ブラシロール１４の上面側に配置されメインサポートビーム２０Ａに固定される逆Ｌ字状の天板サポートビーム２０Ｂとから構成されている。下部に配置されている廃液皿２２は、ブランケット胴１２から掻き落した汚れを含んだ洗浄液を溜めておくもので、図示していないスクレーパによって除去された廃液を受け取るようになっている。このようなブラシ型洗浄装置１０は、図示しないスクラブ機構により、全体として、ブラシロール１４がブランケット胴１２から離隔している待機位置から、ブランケット胴１２にブラシロール１４を接触させる洗浄位置までの接近移動と、洗浄終了に際しての洗浄位置から待機位置までの離反移動ができるようになっている。
【００１５】
上記構成に加えて、本実施形態に係る洗浄装置１０は、前記ブラシロール１４に外接して当該ブラシロール１４の回転触れ止めをなす回転撓み防止手段を設けたことを特徴としている。具体的には、ブラシロール１４におけるブランケット胴１２との接触点の反対側の領域で、当該ブラシロール１４の表面に接する押えプレートを有しており、これはブラシロール１４の軸方向に延びている。押えプレートは複数設けられ、実施形態の場合、２箇所の押えプレート２４，２６により、ブラシロール１４の外表面に接するようになっている。
【００１６】
図２に示しているように、この実施形態に係るブラシ型洗浄装置１０では、ブランケット胴１２の下半部の一箇所にブラシロール１４が接するように配置されている。このような配置構成の洗浄装置１０では、図２から理解できるように、第１の押えプレート２４は、ブラシロール１４の上面部に接して回転ぶれが生じないように押えるように構成され、第２の押えプレート２６は、洗浄対象であるブランケット胴１２とブラシロール１４との接触点の反対側位置でブラシロール１４の外表面に接して、回転ぶれがブランケット胴１２との間で生じないように押え込むように配置されている。
【００１７】
第１押えプレート２４は、前記天板サポートビーム２０Ｂの先端下面に固着した取付板２８を介して支持され、ブラシロール１４のブラシ繊維１８の先端部分に接して上からブラシロール１４を押える形態に配置される。また、第２押えプレート２６は、前記メインサポートビーム２０Ａの内面からブラシロール１４側に向けて張り出した複数の取付アーム３０の先端に支持されてブラシロール１４の長手方向に延在している。いずれの押えプレート２４、２６も断面円弧としてブラシロール表面に接するようにすればよいが、実施形態では、第１の押えプレート２４は、皿形の湾曲部材によって構成され、他方の第２押えプレート２６は、拡開Ｖ形の湾曲部材によって構成され、板材の曲げ加工によって形成している。そして、押えプレート２４、２６はブラシロール１４の回転導入口３２を若干開いている（図４参照）。これによって、ブラシに付与した洗浄液がそこで掻き落されないようにして、洗浄液が無駄に消費されることを防止している。
【００１８】
このような押えプレート２４、２６は、ブラシロール１４の胴長方向に延在しており、実質的にブラシロール１４の長さを同長としているが、基本的にはブラシロール１４の長手方向の中央領域にて回転振れ止めをなすようにすればよく、ブラシロール１４の長さの半分程度でもよい。また、長手方向の中央部とその両脇部分の３箇所程度の位置でブラシロール１４に複数箇所で外接するようにしてもよい。複数箇所の位置を選択することで、機器固有の回転撓みへの対策を施すことができる。
【００１９】
このようなブラシ型洗浄装置１０は、ブラシロール１４は洗浄対象のブランケット胴１２の回転方向と反対方向に回転して掻き取り洗浄するが、ブラシへ洗浄液を供給する噴射ノズルパイプ３４が設けられ、また、ブラシに付着した汚れを落すスクレーパ３６が設けられている。洗浄モードでは、図４に示すように、ブラシロール１４をブランケット胴１２に当接するように洗浄装置１０を前進させ、噴射ノズルパイプ３４から洗浄液を噴射してブラシ繊維１８中に含浸させつつ、ブランケット胴１２に洗浄液を塗布して（網掛け部）、同時にブラシ掻き取り動作によって汚れを取り除く。洗浄後は、図５に示しているように、スクレーパ３６をブラシ繊維１８中に入り込ませ、汚れをブラシ繊維中から取り除いて下部の廃液皿２２に収容する。
【００２０】
ところで、実施形態に係るブラシ型洗浄装置１０は、ブラシロール１４におけるブランケット胴１２との接触点の反対領域にて第２押えプレート２６によって当該ブラシロール１４を押え込み、ブラシロール１４が回転振れを起こしてブランケット胴１２から離れるように挙動することを抑制することができる。また、第１押えプレート２４はブラシロール１４の上面部を押え込んで、ブランケット胴１２との接線方向に沿った回転振れを起こすことを抑制することができる。このため、図６の従来例に示しているようなニップ幅が、ブランケット胴１２の端部側で幅広く、中央に至るにしたがって、狭くなるような接触状態となることを防止することができる。結果として、胴長方向で同一のニップ幅となるようにブラシロール１４の回転を適正に維持することができ、洗浄ムラの発生を防止できる。
【００２１】
図３に第２の実施形態に係るブラシ型洗浄装置１０Ａの断面図を示す。この実施形態は、ブランケット胴１２の上半部側にてブラシロール１４を接触させるようにして洗浄するタイプに適用した場合を示している。この洗浄装置自体の構成は第１実施形態と同様であるが、ブランケット胴１２とブラシロール１４との接触位置が異なるため、第１、第２押えプレート２４、２６のいずれもがブランケット胴１２とブラシロール１４との接触点Ｐの反対側領域に位置することになっている。前記接触点Ｐを通る１８０度反対側の点が第１押えプレート２４と第２押えプレート２６の中間に位置している配置構成とされる。したがって、ブラシロール１４は洗浄対象のブランケット胴１２と、第１、第２押えプレート２４、２６の３部材によっておおよそ１２０度間隔となる位置で、周囲を押えられて回転振れ止めがなされるようになっている。
【００２２】
このような第２実施形態に係るブラシ型洗浄装置１０Ａでは、洗浄時には、特にブラシロール１４は周囲を１２０度間隔の３箇所にて押さえ込まれることになるので、安定した回転振れ止め作用を発揮することができ、ニップ幅を胴長方向で均一にでき、洗浄効果を低下させることがないという効果を発揮できる。
なお、上記実施形態では、洗浄対象としてブランケット胴に適用した場合について説明したが、他の印刷用シリンダの洗浄に適用できるのはいうまでもない。
【００２３】
上記実施形態では、回転撓み防止手段として押えプレート２４，２６を用いた例を示している。これはブラシロール１４に外接して包囲する筒体として角形筒の一部を用いた例であるが、これは円筒体の一部として構成しても良い。
【産業上の利用可能性】
【００２４】
本願発明に係るブラシ型洗浄装置は、印刷機用シリンダの洗浄に利用することができる。
【図面の簡単な説明】
【００２５】
【図１】実施形態に係るブラシ型洗浄装置の要部斜視図である。
【図２】同ブラシ型洗浄装置の要部断面構成図である。
【図３】第２実施形態に係るブラシ型洗浄装置の要部断面構成図である。
【図４】実施形態に係るブラシ型洗浄装置の洗浄時の説明用斜視図である。
【図５】同洗浄装置の退避時の説明用斜視図である。
【図６】従来のブラシ型洗浄装置の要部斜視図である。
【図７】従来のブラシ型洗浄装置のブランケット胴下部洗浄動作の説明図である。
【図８】同洗浄装置のブランケット胴上部洗浄動作の説明図である。
【符号の説明】
【００２６】
１………ブランケット胴、２………サポートビーム、３………廃液皿、４………ブラシロール、１０………ブラシ型洗浄装置、１２………ブランケット胴、１４………ブラシロール、１６………ロール軸、１８………ブラシ繊維、２０………サポート部材、２０Ａ………メインサポートビーム、２０Ｂ………天板サポートビーム、２２………廃液皿、２４………第１押えプレート、２６………第２押えプレート、２８………取付板、３０………取付アーム、３２………回転導入口、３４………噴射ノズルパイプ、３６………スクレーパ。
【図１】
0005257806.tif 000002
【図２】
0005257806.tif 000003
【図３】
0005257806.tif 000004
【図４】
0005257806.tif 000005
【図５】
0005257806.tif 000006
【図６】
0005257806.tif 000007
【図７】
0005257806.tif 000008
【図８】
0005257806.tif 000009